(57)【要約】【課題】施術者が被施術者の施術箇所の凝視及び施術者の様々な施術体勢における施術者の自由な視線の確保をしながら施術者が施術箇所に対して行っている施術についての希望を被施術者が施術者に伝える意思表示装置、及び、施術箇所管理装置を提供する。【解決手段】意思表示装置１０は、施術者が被施術者の施術箇所の凝視及び施術者の様々な施術体勢における施術者の自由な視線の確保をしながら施術者が施術箇所に対して行っている施術についての希望を被施術者が施術者に伝える装置である。意思表示装置１０は、被施術者に貸与され、施術者が行っている施術についての希望の情報を、被施術者が操作することによりリアルタイムに送信する送信器４０と、施術者が携帯し、送信器からの希望の情報をリアルタイムに受信する受信器２０とを備え、受信器２０は、施術者が施術箇所を凝視している状態を維持させながら、リアルタイムに、希望の情報を施術者に伝達する。【選択図】図１
2018094241.tif 000002
【特許請求の範囲】
【請求項１】
施術者が被施術者の施術箇所の凝視及び前記施術者の様々な施術体勢における施術者の自由な視線の確保をしながら前記施術者が施術箇所に対して行っている施術についての希望を前記被施術者が前記施術者に伝える意思表示装置であって、
前記被施術者に貸与され、前記施術者が行っている施術についての希望の情報を、前記被施術者が操作することによりリアルタイムに送信する送信器と、
前記施術者が携帯し、前記送信器からの前記希望の情報をリアルタイムに受信する受信器とを備え、
前記受信器は、前記施術者が前記施術箇所の凝視及び前記自由な視線の確保をしている状態を維持させながら、リアルタイムに、前記希望の情報を前記施術者に伝達する、意思表示装置。
【請求項２】
前記施術は、前記施術箇所を、摩さつする行為、押す行為、もむ行為、及び、たたく行為の少なくとも１つの行為を含み、
前記施術についての希望は、前記１つの行為に対して、再度行って欲しいという希望、更に強く行って欲しいという希望、及び、更に弱く行って欲しいという希望の少なくともいずれかを含む、請求項１に記載の意思表示装置。
【請求項３】
前記送信器は、前記被施術者の手の複数の指に装着される送信側本体部と、前記送信側本体部に設けられたモーメンタリ動作型スイッチとを含み、
前記モーメンタリ動作型スイッチは、前記被施術者の装着された手の、前記複数の指とは異なる指により操作可能に前記送信側本体部に設けられている、請求項１又は２に記載の意思表示装置。
【請求項４】
前記受信器は、前記施術者の身体に装着される受信側本体部と、前記施術者が前記施術箇所の凝視及び前記自由な視線の確保をしている際の妨げとならないように、前記受信側本体部に取り付けられた光源と、を含み、
前記光源は、前記光源が発した光を前記施術者が視認可能に、前記受信側本体部に取り付けられている、請求項１から３のいずれかに記載の意思表示装置。
【請求項５】
前記受信器は、前記施術者の身体に振動を伝える加振器を含む、請求項１から３のいずれかに記載の意思表示装置。
【請求項６】
前記施術は、「あん摩マツサージ指圧師、はり師、きゆう師等に関する法律」に規定する「あん摩」、「マツサージ」及び「指圧」と、「柔道整復師法」に規定する「柔道整復」と、「理学療法士及び作業療法士法」に規定する「理学療法」と、「保健師助産師看護師法」に規定する「助産師」による「助産行為」と、リラクゼーション全般、並びに、リラクゼーションとしての「全身もみほぐし」及び「もみほぐし」とを含む、請求項１から５のいずれかに記載の意思表示装置。
【請求項７】
請求項１から６のいずれかに記載の意思表示装置と、
前記送信器からの前記希望の情報を受信する希望情報受信部と、
前記施術箇所の位置の情報を検出して、施術位置情報として出力する圧力検知部と、
前記希望情報受信部が前記希望の情報を受信する毎に、受信した前記希望の情報と、前記圧力検知部から出力された前記施術位置情報とを記録する記録部と、
前記記録部が記録する前記希望の情報と前記施術位置情報とを出力する施術位置情報出力部と、を備える施術箇所管理装置。
【発明の詳細な説明】
【技術分野】
【０００１】
本発明は、施術者が被施術者の施術箇所の凝視及び施術者の様々な施術体勢における施術者の自由な視線の確保をしながら、施術者が施術箇所に対して行っている施術についての希望を被施術者が施術者に伝える意思表示装置、及び、それを備えた施術箇所管理装置に関する。
【背景技術】
【０００２】
マッサージ（体重をかけ、対象者（被施術者）が痛みを感じる強さで行う行為を含む。）は、静脈系血液循環、リンパ循環の改善を目的にした手技療法である。マッサージには、筋肉の緊張をほぐし、筋肉痛を和らげる効果、精神的な緊張を和らげる効果をもたらし、ストレスを軽減する効果があるといわれている。これらの効果は、一種のリラクゼーション効果であるといわれている。
【０００３】
このように多くの効果を持つマッサージであるが、現在はマッサージを行う施術者と、マッサージを受ける被施術者との間でのコミュニケーションが不十分であることにより、適切な施術が行われないことが多い。例えば、もむ行為及び指圧行為（指で押す行為）といった施術は、その力加減が重要である。しかし、力加減は施術者の経験に委ねられる場合が殆どである。
【０００４】
そこで、被施術者が十分な意思表示を行うことを可能にするために、マッサージという施術の特徴を十分に考慮した上で、マッサージを受けている被施術者に最も適した意思表示方法を提供する技術が開示されている（特許文献１参照）。
【先行技術文献】
【特許文献】
【０００５】
【特許文献１】特開２０１６−０３４４５６号公報
【発明の概要】
【発明が解決しようとする課題】
【０００６】
しかしながら、特許文献１に記載の技術では、出力手段は、ベッドの近くの壁に固定しているので、施術者は施術箇所から視線を外して決まった方向に視線を移して出力手段を見る必要がある。このため、施術者が被施術者の施術箇所の凝視及び施術者の様々な施術体勢における施術者の自由な視線の確保をしながら、施術者が施術箇所に対して施術を行うことはできない。
【０００７】
本発明の目的は、施術者が被施術者の施術箇所の凝視及び施術者の様々な施術体勢における施術者の自由な視線の確保をしながら施術者が施術箇所に対して行っている施術についての希望を被施術者が施術者に伝える意思表示装置、及び、施術箇所管理装置を提供することにある。
【課題を解決するための手段】
【０００８】
発明者は、鋭意研究をした結果、以下の意思表示装置、及び、施術箇所管理装置を発明した。
【０００９】
本発明に係る意思表示装置は、施術者が被施術者の施術箇所の凝視及び前記施術者の様々な施術体勢における施術者の自由な視線の確保をしながら前記施術者が施術箇所に対して行っている施術についての希望を前記被施術者が前記施術者に伝える意思表示装置であって、前記被施術者に貸与され、前記施術者が行っている施術についての希望の情報を、前記被施術者が操作することによりリアルタイムに送信する送信器と、前記施術者が携帯し、前記送信器からの前記希望の情報をリアルタイムに受信する受信器とを備え、前記受信器は、前記施術者が前記施術箇所の凝視及び前記自由な視線の確保をしている状態を維持させながら、リアルタイムに、前記希望の情報を前記施術者に伝達することを特徴とする。
【００１０】
本発明の意思表示装置において、前記施術は、前記施術箇所を、摩さつする行為、押す行為、もむ行為、及び、たたく行為の少なくとも１つの行為を含み、前記施術についての希望は、前記１つの行為に対して、再度行って欲しいという希望、更に強く行って欲しいという希望、及び、更に弱く行って欲しいという希望の少なくともいずれかを含むことを特徴とする。
【００１１】
本発明の意思表示装置において、前記送信器は、前記被施術者の手の複数の指に装着される送信側本体部と、前記送信側本体部に設けられたモーメンタリ動作型スイッチとを含み、前記モーメンタリ動作型スイッチは、前記被施術者の装着された手の、前記複数の指とは異なる指により操作可能に前記送信側本体部に設けられていることを特徴とする。
【００１２】
本発明の意思表示装置において、前記受信器は、前記施術者の身体に装着される受信側本体部と、前記施術者が前記施術箇所の凝視及び前記自由な視線の確保をしている際の妨げとならないように、前記受信側本体部に取り付けられた光源と、を含み、前記光源は、前記光源が発した光を前記施術者が視認可能に、前記受信側本体部に取り付けられていることを特徴とする。
【００１３】
本発明の意思表示装置において、前記受信器は、前記施術者の身体に振動を伝える加振器を含むことを特徴とする。
【００１４】
本発明の意思表示装置において、前記施術は、「あん摩マツサージ指圧師、はり師、きゆう師等に関する法律」に規定する「あん摩」、「マツサージ」及び「指圧」と、「柔道整復師法」に規定する「柔道整復」と、「理学療法士及び作業療法士法」に規定する「理学療法」と、「保健師助産師看護師法」に規定する「助産師」による「助産行為」と、リラクゼーション全般、並びに、リラクゼーションとしての「全身もみほぐし」及び「もみほぐし」とを含むことを特徴とする。
【００１５】
本発明に係る施術箇所管理装置は、上述に記載の意思表示装置と、前記送信器からの前記希望の情報を受信する希望情報受信部と、前記施術箇所の位置の情報を検出して、施術位置情報として出力する圧力検知部と、前記希望情報受信部が前記希望の情報を受信する毎に、受信した前記希望の情報と、前記圧力検知部から出力された前記施術位置情報とを記録する記録部と、前記記録部が記録する前記希望の情報と前記施術位置情報とを出力する施術位置情報出力部と、を備えることを特徴とする。
【発明の効果】
【００１６】
本発明によれば、受信器は、施術者が被施術者の施術箇所の凝視及び施術者の様々な施術体勢における施術者の自由な視線の確保をしている状態を維持させながら、リアルタイムに、希望の情報を施術者に伝達することができる。このため、施術者が被施術者の施術箇所の凝視及び施術者の様々な施術体勢における施術者の自由な視線の確保をしながら施術者が施術箇所に対して行っている施術についての希望を被施術者が施術者に伝えることができる。すなわち、施術者は、被施術者の施術に対する微妙な希望（「そこもっと」）を正確に理解することができる意思表示装置、及び、施術箇所管理装置を提供することができる。
【図面の簡単な説明】
【００１７】
【図１】本発明に係る意思表示装置の外観斜視図である。
【図２】図１に示した意思表示装置を用いて施術をしている概略図である。
【図３】図２に示した意思表示装置の受信器の拡大斜視図である。
【図４】図２に示した意思表示装置の送信器の拡大斜視図である。
【図５】図１に示した意思表示装置の出力に応じて作成した施術箇所の概略図である。
【図６】図１に示した意思表示装置を備えた施術箇所管理装置の概略図である。
【発明を実施するための形態】
【００１８】
以下、図面を参照して本発明を実施するための形態について詳細に説明する。
図１は、本発明に係る意思表示装置の外観斜視図である。図２は、図１に示した意思表示装置を用いて施術をしている概略図である。図３は、図２に示した意思表示装置の受信器の拡大斜視図である。図４は、図２に示した意思表示装置の送信器の拡大斜視図である。図５は、図１に示した意思表示装置の出力に応じて作成した施術箇所の概略図である。図６は、図１に示した意思表示装置を備えた施術箇所管理装置の概略図である。
【００１９】
（意思表示装置）
図１に示すように、意思表示装置１０は、送信器４０と、受信器２０とを備える。
図２に示すように、意思表示装置１０は、施術者Ｍが被施術者Ｈの施術箇所の凝視及び施術者Ｍの様々な施術体勢における施術者Ｍの自由な視線の確保をしながら施術者Ｍが施術箇所に対して行っている施術についての希望（例えば、「再度行って欲しいという希望」、「更に強く行って欲しいという希望」、及び、「更に弱く行って欲しいという希望」）を被施術者Ｈが施術者Ｍに伝える装置である。
【００２０】
（施術及び施術についての希望）
施術は、施術箇所を、摩さつする行為、押す行為、もむ行為、及び、たたく行為の少なくとも１つの行為を含む。施術は、リラクゼーション、マッサージ等で表現されるすべての行為が含まれ、例えば、全身マッサージ、足つぼマッサージ、ヘッドマッサージ、ハンドマッサージも含まれる。更に、施術は、リラクゼーション全般、並びに、リラクゼーションとしての「全身もみほぐし」及び「もみほぐし」も含まれる。
【００２１】
更に、施術は、「あん摩マツサージ指圧師、はり師、きゆう師等に関する法律」に規定する「あん摩」、「マツサージ」及び「指圧」、「柔道整復師法」に規定する「柔道整復」、「理学療法士及び作業療法士法」に規定する「理学療法」、並びに、「保健師助産師看護師法」に規定する「助産師」による「助産行為」の少なくともいずれかを含む。
【００２２】
「施術についての希望」は、その行為に対して、「再度行って欲しいという希望」、「更に強く行って欲しいという希望」、及び、「更に弱く行って欲しいという希望」の少なくともいずれかを含む。
【００２３】
ここで、「あん摩」は、被施術者Ｈの衣服の上から施術し、被施術者Ｈの身体の中心から手足に向かって経絡及び筋肉を刺激する。「マツサージ」（Ｍａｓｓａｇｅ）は、オイル及びパウダーを被施術者Ｈに直接用い、被施術者Ｈの身体の末梢から中心に向かって、被施術者Ｈの皮膚を直接摩り刺激していく。「指圧」は、被施術者Ｈの衣服の上から、指又は手掌等を用い、被施術者Ｈの身体の中心から手足に向かって押し圧する刺激を与える。
このように、施術者Ｍは、様々な施術体勢をとりながら、被施術者Ｈに対して施術を行う。
【００２４】
（送信器）
図１に示すように、送信器４０は、被施術者Ｈに貸与され、施術者Ｍが行っている施術についての希望の情報を、被施術者Ｈが操作することにより、リアルタイムに送信する送信器である。
【００２５】
送信器４０は、送信側本体部４１と、モーメンタリ動作型スイッチ４２とを備える。送信器４０は、更に、送信側取付部４５と、電波発信器とを備える。電波発信器は、モーメンタリ動作型スイッチ４２が押下されている間だけ、受信器２０に対して、押下信号を発信するバッテリー内蔵の電波発信器である。
【００２６】
送信側本体部４１は、被施術者Ｈの手の複数の指に装着される筐体である。送信側本体部４１は、一般的な大人の手のひらに収まる程度の大きさの直方体の形状を有する。送信側本体部４１の４つの側面のうちある側面に、モーメンタリ動作型スイッチ４２が設けられており、その側面とは反対側の側面に、送信側取付部４５が取り付けられている。
【００２７】
送信側取付部４５は、送信側本体部４１を被施術者Ｈの手の複数の指に装着するための取付部であり、送信側取付部４５が被施術者Ｈの手の複数の指に、簡単に、かつ、衛生的に装着できるように、送信側本体部４１に設けられる。送信側取付部４５としては、例えば、マジックテープ（登録商標）、伸縮性を有するゴムベルト、指サックを挙げることができる。送信側取付部４５は、使用する度に、除菌、交換が容易な部材又は素材であることが好ましい。
【００２８】
被施術者Ｈの手の複数の指（例えば、人差し指と中指）に送信側取付部４５を巻き付けることにより、被施術者Ｈの手の複数の指に送信側本体部４１を装着することができる。また、その状態で、被施術者Ｈの手の複数の指のうち送信側取付部４５が巻かれていない指（複数の指とは異なる指、例えば、親指）で、無理なく自然体でモーメンタリ動作型スイッチ４２を押下することができる。
【００２９】
このように、モーメンタリ動作型スイッチ４２は、被施術者Ｈの装着された手の、複数の指（人差し指と中指）とは異なる指（親指）により操作可能に送信側本体部４１に設けられている。
【００３０】
モーメンタリ動作型スイッチ４２は、１つのスイッチであってもよく、また、複数（例えば３つ）のスイッチで構成されていてもよい。
【００３１】
モーメンタリ動作型スイッチ４２が、１つのスイッチで構成されている場合、被施術者Ｈは、施術者Ｍから被施術者Ｈへの問いかけ、声掛けに対する返事として、「はい」ならスイッチの一度押しをし、「いいえ」なら二度押しをするようにしてもよい。また、施術箇所を施術している最中に、スイッチを押し、更にもう一度、スイッチを押せば、「もういいよ」の意思表示とすることができる。また、スイッチは、一度押し、二度押し、長押しの三つ操作をすることができる。
【００３２】
モーメンタリ動作型スイッチ４２が３つのスイッチで構成されている場合、３つのスイッチは、それぞれ、「再度行って欲しいという希望」、「更に強く行って欲しいという希望」、及び、「更に弱く行って欲しいという希望」に対応していることが好ましい。
【００３３】
（受信器）
受信器２０は、施術者Ｍが携帯し、送信器４０からの希望の情報をリアルタイムに無線で受信する受信器である。
【００３４】
受信器２０は、施術者Ｍが被施術者Ｈの施術箇所の凝視及び施術者Ｍの様々な施術体勢における施術者Ｍの自由な視線の確保をしている状態を維持させながら、リアルタイムに、希望の情報を施術者Ｍに伝達する機能を有する。
【００３５】
受信器２０は、受信側本体部２１と光源２２とを備える。受信器２０は、更に、送信器４０からの押下信号を受信するバッテリー内蔵の電波受信器を備える。
【００３６】
受信側本体部２１は、受信器２０の筐体であり、直方体形状を有する。
【００３７】
光源２２は、受信側本体部２１の４つの側面のうちある側面の先端付近に設けられている。このため、光源２２は、光源２２が発した光を施術者Ｍが視認可能に、受信側本体部２１に取り付けられていることになる。
【００３８】
光源２２は、１つの発光体で構成されていてもよく、複数（例えば３つ）の発光体で構成されていてもよい。光源２２が３つの発光体で構成されている場合、３つの発光体は、それぞれ、「再度行って欲しいという希望」、「更に強く行って欲しいという希望」、及び、「更に弱く行って欲しいという希望」に対応して、赤色、青色、及び、黄色の発光体であることが好ましい。受信器２０は、光の色と点灯パターンとの組み合わせの信号を受信し、その受信した信号に応じて光源２２を発光させてもよい。
【００３９】
受信側本体部２１は、光源２２が設けられている側面に施術者Ｍに架けられるメガネ６０のテンプルが接触するように、メガネ６０を介して施術者Ｍの身体に装着される。このため、受信側本体部２１がメガネ６０のテンプルに装着しているので、施術者Ｍが被施術者Ｈの施術箇所の凝視及び施術者Ｍの様々な施術体勢における施術者Ｍの自由な視線の確保の妨げとならないように、光源２２は、受信側本体部２１に取り付けられていることになる。
【００４０】
なお、施術者Ｍの目の横に受信器２０が装着できれば、受信器２０をメガネ６０以外のものに取り付けてもよい。また、受信器２０は、施術者Ｍの身体に振動を伝える加振器を含むものであってもよい。また、受信器２０は、施術部屋の雰囲気を壊さないよう、赤外線、ブルートゥース（登録商標）を使い、受信器２０、携帯電話等からイヤフォンで、受信してもよいし、携帯電話のバイブ機能を使って受信してもよい。また、受信機２０は、携帯電話等からイヤフォンで録音された声や様々な音での合図を受信してもよい。
【００４１】
（施術箇所管理装置）
図６に示すように、施術箇所管理装置２００は、意思表示装置１０と、送信器４０からの希望の情報を受信する希望情報受信部２１０と、施術箇所の位置の情報を検出して、施術位置情報として出力する圧力検知部２２０と、希望情報受信部２１０が希望の情報を受信する毎に、受信した希望の情報と、圧力検知部２２０から出力された施術位置情報とを記録する記録部２３０と、記録部２３０が記録する希望の情報と施術位置情報とを出力する施術位置情報出力部２４０と、を備える。圧力検知部２２０は、公知の検知装置を用いることができ、例えば、特開２０１３−１７２８４１号公報に記載のマッサージナビゲーション装置を用いることができる。
【００４２】
圧力検知部２２０は、被施術者Ｈに対して行った、摩さつする行為、押す行為、もむ行為、及び、たたく行為をした施術箇所を検知する装置である。
【００４３】
施術位置情報出力部２４０は、図５に示すように、用紙１００に被施術者Ｈの背面を描写した絵１１０と、記録部２３０が記録する希望の情報と施術位置情報とを色と位置で表した施術位置１２０とを印刷することができるように構成されている。
【００４４】
用紙１００に印刷された施術位置１２０の色は、例えば、赤色、青色、及び、黄色の３色である。この場合、赤色、青色、及び、黄色は、それぞれ、「再度行って欲しいという希望」、「更に強く行って欲しいという希望」、及び、「更に弱く行って欲しいという希望」に対応している。
【００４５】
また、施術位置１２０が多く印刷されている箇所は、被施術者Ｈの多くが希望する箇所であるといえるので、これらの情報に基づいて、施術者Ｍは、被施術者Ｈにとって、より的確で気持ちのよい施術を提供することができる。
【００４６】
（意思表示装置、及び、施術箇所管理装置の使用方法）
施術者Ｍは、被施術者Ｈを、施術する施術部屋（個室、個人店又は数十台のベッドを有する大きな施設）に案内する。施術部屋は、施術を行う性質上、とても静かでリラックスできる環境を維持している。また、施術部屋が大きな施設になるほど被施術者Ｈは声を出しづらくなる傾向がある。
【００４７】
（送信器及び受信器の装着）
図４に示すように、施術者Ｍは、施術部屋に案内された被施術者Ｈに、送信器４０を装着させる。また、図３に示すように、施術者Ｍは、受信器２０を装着する。
【００４８】
送信側取付部４５を被施術者Ｈの手の複数の指（例えば、人差し指と中指）に装着するだけなので、送信器４０の装着は、常に、被施術者Ｈにストレスを与えることなく、スピーディーに行うことができる。このとき、送信側取付部４５を被施術者Ｈの手の人差し指と中指に装着すると、被施術者Ｈがリラックスした際の手の親指の先端が、送信器４０のモーメンタリ動作型スイッチ４２の近傍に位置する。
【００４９】
また、施術中、送信器４０を装着した被施術者Ｈは、うつ伏せ、仰向け、横向き、腕をベッドの下に下げる、頭を横ベッドの上に乗せる、腕を背中にまわす等様々な体勢をとることを要求される。この場合であっても、送信側取付部４５が被施術者Ｈの手の複数の指に装着されているので、被施術者Ｈは、これらの姿勢を取りつつも、負担なく、スピーディーに送信器４０のモーメンタリ動作型スイッチ４２を操作することができる。
【００５０】
（施術中）
そうして、図２に示すように、被施術者Ｈに、圧力検知部２２０が設けられた施術用のベッドに横たわってもらい、施術を開始する。
【００５１】
（発声行為をしない理由）
施術中、一般に、施術者Ｍと被施術者Ｈとの間のやりとりは、トーンを下げた声で行われる。また、施術者Ｍと施術者Ｍのスタッフとの間の連絡事項、複数のスタッフ同士の連絡事項は、手ぶりで伝える方法及び耳元で囁く方法で行われる（なお、どれほど無神経な人間でもこのような施術中で通常のトーンで声をだす人はいないことは言うまでも無い。）。
【００５２】
また、施術中、被施術者Ｈの体は、長時間、うつ伏せ状態になる。また、被施術者Ｈの顔は、長時間、フェイスクッションにうずめた状態になる。
【００５３】
更に、被施術者Ｈがこのような状態において、施術者Ｍと被施術者Ｈとの間のやりとり（施術に対する情報交換）を、複数回、行うことは可能ではあるが、その場合、被施術者Ｈに非常に大きなストレスがかかることになる。
【００５４】
他方、施術者Ｍは、施術開始から１〜２分で、殆どの被施術者Ｈに、施術の強さの確認を１回（場合によっては３〜４回）行うことが多いが、発明者の経験上、被施術者Ｈは、施術の強さがよほど極端（非常に強いや非常に弱い）でない場合、黙っていることがほとんどである。すなわち、施術時間が経過するほど施術者とのコミュニケーションが取りづらくなり、被施術者Ｈは概ね黙っている。
具体的には、施術者Ｍが被施術者Ｈに積極的に声を掛ければ、被施術者Ｈはさすがにそれに答えてくれるが、施術者Ｍは、周囲の雰囲気を配慮したり、リラックスして施術を受けている被施術者Ｈに対して配慮したりするので、積極的に声を掛けづらい。
【００５５】
しかし、発明者の経験上、多くの被施術者Ｈは、今行っている施術に対して、リアルタイムに、希望及び要望を施術者Ｍに伝えたいと思っていることは多いが、施術の邪魔にならないように、また、施術の部屋の雰囲気を壊さないように、なんとなく我慢して黙ってしまう、との感想を持っている。つまり、一般に、気を使う必要のない場所で家族、気心の知れた友人に肩をもんでもらう際には、「もっと上」、「もっと下」、「そこグーと押して」などを気兼ねなく声を発して希望及び要望を伝えることが容易であるが、施術部屋のような場所は、とても静かでリラックスできる環境であるので、被施術者Ｈは、施術に対して行ってもらいたいリクエストを施術者Ｍに伝えることを我慢する（希望及び要望をあきらめる）ことが多い。
【００５６】
そうすると、施術者Ｍは、被施術者Ｈからの施術に対する要望を得ることなく施術を行うことになる。このため、施術者Ｍは、たとえトレーニングと経験とを積んでいても、被施術者Ｈからの施術に対する要望がない状態で、施術箇所を高い精度（ミリ単位、微妙な角度、微妙な強弱）で施術することは非常に難しい。換言すると、施術者Ｍが多くの経験を有していても、施術者Ｍは、被施術者Ｈの肉体的感覚を体験することはできない。
【００５７】
被施術者Ｈは、通常の環境の中でのコミュニケーションでは、殆どストレスを感じていないが、肉体的にも精神的にも話しづらい特殊な環境（施術部屋）の中では、声を出して施術者Ｍに要求を伝えようとすることは明らかに大きなストレスを感じることになる。
【００５８】
また、被施術者Ｈは、筋肉が緊張した状態（筋肉が固まった状態、又は、力が入った状態）で筋肉に対して強い施術をすると、被施術者Ｈの筋及び筋肉を痛める可能性がある。ここで、被施術者Ｈが施術者Ｍに声を掛けるという発声行為は、想像以上に腰から背中、首にかけての筋肉を緊張させる。このため、特に、被施術者Ｈが、うつ伏せ状態で、話をしている間は、施術の力を強くすることができない。同様に、被施術者Ｈの発声行為により呼吸の深さ等も変わるため、施術中、被施術者Ｈの発声行為はなるべく避けるべきである。
【００５９】
このように、施術中、被施術者Ｈは、発声行為を殆どしない。
【００６０】
（施術者の視線）
施術箇所を高い精度（ミリ単位、微妙な角度、微妙な強弱）で施術するために、施術者Ｍは、被施術者Ｈの周囲を常に動き、体勢を変えながら施術を行う。また、高い精度で施術するため状況に応じ被施術者Ｈの体勢も変える。よって、施術者Ｍは、自由な視線の確保が必要である。施術者Ｍは、被施術者Ｈの微妙な体の反応にも注意する必要があるため、施術者Ｍは、常に、様々な方向に注意と視線を向けなければいけない。
【００６１】
他方、施術部屋及びそれを備える店舗では、被施術者の来店、退店、他の被施術者、スタッフ、電話対応等、様々なことに注意を払う必要がある。つまり、施術者Ｍは、施術中であっても、施術箇所を凝視するだけでなく、様々なことに注意を払う必要がある。
【００６２】
換言すると、受信器２０は、施術者Ｍの施術における目線（施術箇所の凝視及び施術者Ｍの様々な施術体勢における施術者Ｍの自由な視線）の妨げにならない位置に設置する必要があるが、従来の特許文献１に記載の技術のように、複数の受信器を、施術部屋の壁等に設置しても、十分なものとはなりにくい。
【００６３】
そこで、受信器２０を施術者Ｍのメガネ６０のテンプルに装着することにより、施術者Ｍが、常に、施術の際の押圧する指の角度及び押圧の加減、各施術箇所における被施術者Ｈの体勢を凝視すると共に、施術者Ｍの自由な視線を確保することができる。
【００６４】
（施術中のコミュニケーション）
被施術者Ｈは、施術をしてもらって気持ちが良いと感じた場合、送信器４０のモーメンタリ動作型スイッチ４２を押す。これにより、施術者Ｍのメガネ６０に取り付けられた受信器２０の光源２２が点灯し、施術者Ｍは、リアルタイムに、被施術者Ｈがモーメンタリ動作型スイッチ４２を押したことを把握する。モーメンタリ動作型スイッチ４２を押すということは、被施術者Ｈが施術に対する希望を持ったことであり、光源２２の点灯状態がその希望の情報を示すものになる。これにより、メガネ６０に光源２２を取り付けることによって、施術者Ｍは、視線を外さずとも、被施術者Ｈの施術の希望（感想）を感知することができる。換言すると、施術者Ｍが施術箇所の凝視及び施術者Ｍの様々な施術体勢における自由な視線を確保している状態を維持しながら、施術者Ｍは、被施術者Ｈの施術に対する希望を知ることができる。
【００６５】
（施術箇所の記録）
図５に示すように、被施術者Ｈの施術に対する希望を記録することが好ましい。このような記録を、経験が少なかったりセンスが悪かったりする施術者が参照することにより、施術者は、ある程度の満足を被施術者に与えることができると共に、早い上達がみこめる。
被施術者Ｈの施術に対する希望を記録した用紙１００には、被施術者Ｈの背面が描写された絵１１０と、希望の情報と施術位置情報とを色と位置で表した施術位置１２０とが印刷されている。施術者Ｍは、用紙１００を参照することにより、ビジュアル的に施術において重要な施術箇所とその施術に対する希望を把握することができる。
【００６６】
（施術箇所管理装置の動作）
図６に示すように、施術箇所管理装置２００の圧力検知部２２０は、施術中、被施術者Ｈの施術箇所を検出し、施術位置情報として出力する。また、希望情報受信部２１０は、送信器４０が操作された際に出力される希望の情報を受信する。
【００６７】
記録部２３０は、希望情報受信部２１０が希望の情報を受信する毎に、受信した希望の情報と、圧力検知部２２０から出力された施術位置情報とを記録する。これにより、施術箇所管理装置２００は、施術において重要な施術箇所とその施術に対する希望（「再度行って欲しいという希望」、「更に強く行って欲しいという希望」、及び、「更に弱く行って欲しいという希望」）を得ることができる。
【００６８】
そして、図５に示すように、施術位置情報出力部２４０で、用紙１００に被施術者Ｈの背面を描写した絵１１０と、記録部２３０が記録する希望の情報と施術位置情報とを色と位置で表した施術位置１２０とを印刷することにより、施術者Ｍは、ビジュアル的に施術において重要な施術箇所とその施術に対する希望を把握することができる。
【００６９】
印刷された用紙１００に記載された情報は、施術の技術の向上、施術における人体の学習において、非常に大きく影響する。一般に、リラクゼーション等の技術の習得にはかなりの経験が必要である。被施術者にある程度の満足を与え、被施術者から指名を得るには、発明者の経験上、１０００時間の経験が必要である。
【００７０】
図１から図４に示した意思表示装置１０を備えた施術箇所管理装置２００のみを使うことにおいても、経験が少なかったりセンスが悪かったりする施術者でも、ある程度の満足を被施術者に与えることができると共に、早い上達がみこめる。
【００７１】
更に、施術箇所管理装置２００は、被施術者のわがままな欲求（被施術者の当然の権利）が施術者の技術と報酬の向上につながり、被施術者の満足と施術者の技術と報酬の向上とが同時に行われる。
【００７２】
以上の説明から明らかなように、意思表示装置１０によれば、受信器２０は、施術者Ｍが施術箇所を凝視している状態及び施術者Ｍの様々な施術体勢における施術者Ｍの自由な視線の確保をしている状態を維持させながら、リアルタイムに、希望の情報を施術者Ｍに伝達することができるので、施術者Ｍが被施術者Ｈの施術箇所の凝視及び施術者の様々な施術体勢における施術者Ｍの自由な視線を確保しながら施術者Ｍが施術箇所に対して行っている施術についての希望を被施術者Ｈが施術者Ｍに伝えることができる。すなわち、施術者Ｍは、被施術者Ｈの施術に対する微妙な希望（「そこもっと」）を正確に理解することができる。
【００７３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００７４】
Ｈ  被施術者
Ｍ  施術者
１０  意思表示装置
２０  受信器
２１  受信側本体部
２２  光源
４０  送信器
４１  送信側本体部
４２  モーメンタリ動作型スイッチ
４５  送信側取付部
６０  メガネ
１００  用紙
１１０  被施術者を描写した絵
１２０  施術位置
２００  施術箇所管理装置
２１０  希望情報受信部
２２０  圧力検知部
２３０  記録部
２４０  施術位置情報出力部
【図１】
2018094241.tif 000003
【図２】
2018094241.tif 000004
【図３】
2018094241.tif 000005
【図４】
2018094241.tif 000006
【図５】
2018094241.tif 000007
【図６】
2018094241.tif 000008